(57)【特許請求の範囲】
【請求項１】
鼻と口を覆うように中央部分が立体的に膨らんだ繊維質の材料の基部と、
基部の裏面の外周縁に沿って設けられ、顔面に接着できるように表面部分に粘着剤を含んだ第１の複数の粘着層片と、
第１の複数の粘着層片に実質的に平行に設けられて第１の複数の粘着層片に対して千鳥状に配置され、顔面に接着できるように表面部分に粘着剤を含んだ第２の複数の粘着層片と、を有し、
第１の複数の粘着層片の表面と第２の複数の粘着層片の表面には、保護シートが貼り付けられていることを特徴とするマスク。
【請求項２】
請求項１に記載されたマスクにおいて、
第２の粘着層片の幅は、隣り合う２個の第１の粘着層片の間隙の幅よりも大きいことを特徴とするマスク。
【請求項３】
請求項１又は２に記載されたマスクにおいて、
第１の複数の粘着層片は折り曲げたときに粘着層片同士が合わさるように実質的に左右対称に配置され、第２の複数の粘着層片は折り曲げたときに粘着層片同士が合わさるように実質的に左右対称に配置されていることを特徴とするマスク。
【請求項４】
請求項１乃至３のいずれかに記載されたマスクにおいて、
基部の外周縁は実質的に上下対称であることを特徴とするマスク。
【発明の詳細な説明】
【技術分野】
【０００１】
本発明は、鼻と口を覆って用いるマスクに関する。
【背景技術】
【０００２】
マスクは、空気中の埃や花粉などの微粒子が鼻又は口に侵入するのを阻止するために用いられ、従来より様々な工夫がなされてきた。例えば、特許文献１、２に記載されているマスクには鼻と口を覆うマスク本体部の外周縁に沿って環状に粘着層が設けられ、その粘着層によりマスク本体部が顔面に保持される。それにより、耳に掛け留めるための紐が不要になるとされている。
【先行技術文献】
【特許文献】
【０００３】
【特許文献１】特開平１０−１６５５２６号公報
【特許文献２】特開平１１−１２８３７８号公報
【発明の概要】
【発明が解決しようとする課題】
【０００４】
しかしながら、人間の鼻と口の周辺部に接着する粘着層は皮膚の動きを阻害し、装着の不快感を生じさせ易い。また、乾燥や血行の低下などの皮膚への悪影響を与え易い。従って、そのような状態では、長時間又は長期間の使用を諦めざるを得ないことも起こる。
【０００５】
本発明は、係る事由に鑑みてなされたものであり、その目的は、マスク本体部のみから成るマスクにおいて、装着の不快感や皮膚への悪影響が軽減されたマスクを提供することにある。
【課題を解決するための手段】
【０００６】
上記目的を達成するために、請求項１に記載のマスクは、鼻と口を覆うように中央部分が立体的に膨らんだ繊維質の材料の基部と、基部の裏面の外周縁に沿って設けられ、顔面に接着できるように表面部分に粘着剤を含んだ第１の複数の粘着層片と、第１の複数の粘着層片に実質的に平行に設けられて第１の複数の粘着層片に対して千鳥状に配置され、顔面に接着できるように表面部分に粘着剤を含んだ第２の複数の粘着層片と、を有し、第１の複数の粘着層片の表面と第２の複数の粘着層片の表面には、保護シートが貼り付けられていることを特徴とする。
【０００７】
請求項２に記載のマスクは、請求項１に記載されたマスクにおいて、第２の粘着層片の幅は、隣り合う２個の第１の粘着層片の間隙の幅よりも大きいことを特徴とする。
【０００８】
請求項３に記載のマスクは、請求項１又は２に記載されたマスクにおいて、第１の複数の粘着層片は折り曲げたときに粘着層片同士が合わさるように実質的に左右対称に配置され、第２の複数の粘着層片は折り曲げたときに粘着層片同士が合わさるように実質的に左右対称に配置されていることを特徴とする。
【０００９】
請求項４に記載のマスクは、請求項１乃至３のいずれかに記載されたマスクにおいて、基部の外周縁は実質的に上下対称であることを特徴とする。
【発明の効果】
【００１０】
本発明のマスクによれば、間隔を置いて設けられている複数の粘着層片により、マスクを顔面に保持しながら微粒子の侵入を効果的に阻止し、その一方、皮膚が動き易いので装着の不快感を軽減し、また、乾燥や血行の低下などの皮膚への悪影響も軽減することができる。
【図面の簡単な説明】
【００１１】
【図１】本発明の実施形態に係るマスクの裏面の外観図である。
【図２】同上のマスクを装着した状態の側面視図である。
【図３】同上のマスクを装着した状態の上面視図である。
【発明を実施するための形態】
【００１２】
以下、本発明を実施するための好ましい形態を図面を参照しながら説明する。本発明の実施形態に係るマスク１は、鼻と口を覆って空気中の埃や花粉などの微粒子の侵入を阻止するマスク本体部のみから成る。つまり、耳に掛け留めるための紐を有さない。
【００１３】
マスク１は、不織布などの繊維質の材料の基部２を有する。図１は、マスク１の裏面の外観図である。基部２の裏面には、その外周縁全部に沿って設けられた第１の複数の粘着層片３、３、・・・と、第１の複数の粘着層片３、３、・・・に実質的に平行に設けられた第２の複数の粘着層片４、４、・・・が基部２に固着されている。なお、図１には、鼻への当接部分から顎への当接部分を結ぶ中心線Ｔが描かれている。
【００１４】
第１の複数の粘着層片３、３、・・・と第２の複数の粘着層片４、４、・・・とは、千鳥状に配置されている。すなわち、隣り合う２個の第１の粘着層片３、３の間隙の内側（マスク１の中央部分側）に１個の第２の粘着層片４が配置されている。更に詳しくは、その第２の粘着層片４は、その幅が第１の粘着層片３、３の間隙の幅よりも若干大きく、第１の粘着層片３、３に接触しているか又はほぼ接触した状態になっている。
【００１５】
第１の複数の粘着層片３、３、・・・の各々と第２の複数の粘着層片４、４、・・・の各々の形状は、多角形である。より具体的には、基部２の直線状の外周縁においては、第１の複数の粘着層片３、３、・・・の各々と第２の複数の粘着層片４、４、・・・の各々の形状は、共に四角形であり、基部２の角部においては、第１の複数の粘着層片３、３、・・・の各々は、その角部の形状に応じた形状になっている。例えば、中央上部と中央下部の第１の粘着層片３、３は左右対称形の六角形になっている。
【００１６】
第１の複数の粘着層片３、３、・・・と第２の複数の粘着層片４、４、・・・の各々の幅は、例えば基部２の直線状の外周縁においては５ｍｍ程度であり、厚みは、微粒子の侵入を阻止する能力への影響が小さいので比較的短く、例えば３ｍｍ程度である。
【００１７】
第１の複数の粘着層片３、３、・・・は、中心線Ｔを中心にして実質的に左右対称に配置され、第２の複数の粘着層片も中心線Ｔを中心にして実質的に左右対称に配置されている。
【００１８】
基部２の外周縁は、実質的に上下対称の六角形になっている。
【００１９】
図２と図３はそれぞれ、マスク１を装着した状態の側面視図と上面視図である。これらの図に示すように、基部２の中央部分は立体的に膨らんでいる。なお、２ａは基部２の側部、１０は鼻梁、１１は頬上部を示している。
【００２０】
第１の複数の粘着層片３、３、・・・と第２の複数の粘着層片４、４、・・・は、その表面部分に、顔面に接着できるように粘着剤（例えばアクリル系粘着剤）を含んでいる。第１の複数の粘着層片３、３、・・・と第２の複数の粘着層片４、４、・・・の基部２への固着は、例えば以下のようにして行う。すなわち、不織布等の支持体のシートを用意してそれに粘着層を展着する。そして、それを第１の複数の粘着層片３、３、・・・と第２の複数の粘着層片４、４、・・・の形状にカットし、支持体の裏面に粘着層の表面部分よりも粘着度を増加させた粘着剤（例えば粘着度が大きいアクリル系粘着剤）を塗布して基部２へ貼り合わせる。
【００２１】
次に、マスク１の作用について説明する。マスク１の使用前の状態は、第１の複数の粘着層片３、３、・・・の表面と第２の複数の粘着層片４、４、・・・の表面には、保護シート（剥離シート）（図示せず）が貼り付けられている。保護シートを剥がし、第１の複数の粘着層片３、３、・・・と第２の複数の粘着層片４、４、・・・が鼻と口の周辺部に当接するようにしてマスク１を装着する。基部２の外周縁全部に沿って設けられた第１の複数の粘着層片３、３、・・・と第２の複数の粘着層片４、４、・・・の顔面への粘着により、マスク１を顔面に保持する。マスク１は、耳に掛け留めるための紐を有さないので、耳の変形や鼻の変形が起こらず、顔面の形はほぼ普段の状態と変わらない。また、マスク１の中央部分は立体的に膨らんでいるため、鼻梁１０と頬上部１１との間に段差があっても、鼻はマスク１により圧迫されず、逆に、粘着層片には引き剥がしの力が作用しない。
【００２２】
図３に示すように、マスク１は第１の複数の粘着層片３、３、・・・と第２の複数の粘着層片４、４、・・・により鼻梁１０から頬上部１１までに当接し、上面視では粘着層片の隙間がない。これは、第２の複数の粘着層片４、４、・・・の各々の幅が第１の複数の粘着層片３、３、・・・の間隙の各々の幅よりも大きいからである。その結果、上方向から微粒子が侵入するのをほぼ完全に遮断することができる。同様に、頬や顎において、第１の複数の粘着層片３、３、・・・と第２の複数の粘着層片４、４、・・・により、横方向や下方向から微粒子が侵入するのをほぼ完全に遮断することができる。
【００２３】
また、このマスク１は、複数の粘着層片が接着している皮膚の部分は動きが制限されるが、それらの粘着層片は間隔を置いて設けられているので、それぞれは小面積である。そして、小面積の粘着層片の四方の隣接部分は、皮膚の動きが開放されている。従って、全体的には、皮膚は動き易く、装着の不快感はさほど大きくはなく、軽減されている。また、同様の理由で、乾燥や血行の低下などの皮膚への悪影響も軽減することができる。
【００２４】
マスク１を一時的に顔面から取り外すときは、中心線Ｔを中心にして折り曲げる。そうすると、第１の複数の粘着層片３、３、・・・と第２の複数の粘着層片４、４、・・・とはそれぞれ、中心線Ｔに対して実質的に左右対称に設けられているので、粘着層片同士が合わさることになる。それにより、粘着層片同士が互いの表面を保護することになり、ゴミの付着又は乾燥などによる粘着層片の表面の劣化を抑止することができる。また、折り曲げた状態では、マスク１の中央部分は、密閉状態なので、微粒子が侵入して基部２の裏面に付着することも防止される。
【００２５】
鼻梁１０への当接部分はマスク１を顔面に保持する上で重要である。接着度を増すように押さえ付けられたり顔面の油成分が付着したりして鼻梁１０への当接部分の粘着層片が劣化した場合は、基部２の外周縁は実質的に上下対称なので、マスク１を上下逆にして使用することもできる。この場合、顎への当接部分はさほど押さえ付けられたり顔面の油成分が付着したりしていないので、それが鼻梁１０へ当接されると更に長く装着が可能になる。
【００２６】
以上、本発明の実施形態に係るマスクについて説明したが、本発明は、実施形態に記載したものに限られることなく、特許請求の範囲に記載した事項の範囲内でのさまざまな設計変更が可能である。例えば、基部２の外周縁の形状や中央部分の立体的な膨らみ形状は、嗜好又は機能に合わせて任意に決めることができるのは勿論である。
【符号の説明】
【００２７】
１  マスク
２  基部
３  第１の粘着層片
４  第２の粘着層片
【図１】
0004768837.tif 000002
【図２】
0004768837.tif 000003
【図３】
0004768837.tif 000004